(57)【要約】【課題】  子供でも簡単に行える作業で、適度な流動性と弾性に併せて衝撃に対する形状保持性を有するゲル状物質を調製することができ、また資源の無駄遣いを抑えることも可能で、しかも、安全かつ安価なゲル状玩具製作キットを提供すること。【解決手段】  ゲル状玩具の製作キットを、個別に包装されたグアガム、ホウ砂および還元性単糖・少糖を含んで構成することにより、ゲル状玩具を作製する際、還元性単糖・少糖を添加して適度な流動性及び弾性を有するゲル状物質を作製できるようにした。【選択図】  図１
2014000299.tif 000002
【特許請求の範囲】
【請求項１】
個別に包装されたグアガム(１)、ホウ砂(２)および還元性単糖・少糖(３)を含んで構成されていることを特徴とするゲル状玩具製作キット。
【請求項２】
還元性単糖・少糖(３)がフルクトースであることを特徴とする請求項１記載のゲル状玩具製作キット。
【請求項３】
還元性単糖・少糖(３)が、還元性単糖・少糖(３)の少なくとも一種を含むハチミツやシロップ、糖水溶液の状態で容器に収容されていることを特徴とする請求項１または２に記載のゲル状玩具製作キット。
【請求項４】
還元性単糖・少糖(３)を含むハチミツやシロップ、糖水溶液を所定量注入するための小型注射器(Ｃ1)と、ホウ砂(２)の水溶液を所定量注入するための大型注射器(Ｃ2)が含まれていることを特徴とする請求項３記載のゲル状玩具製作キット
【請求項５】
単色または複数色の食品添加用色素類を主とする水溶性着色剤(４)、或いは光反射性を有するグリッター類の少なくとも何れかが含まれていることを特徴とする請求項１〜４の何れか一つに記載のゲル状玩具製作キット。
【発明の詳細な説明】
【技術分野】
【０００１】
本発明は、ゲル状玩具製作キットの改良、詳しくは、子供でも簡単に行える作業で、適度な流動性と弾性を有するゲル状物質を調製することができ、しかも、安全性に優れ資源の無駄使いも防止でき、製品コストも安価に抑えられるゲル状玩具製作キットに関するものである。
【背景技術】
【０００２】
近年、粘土のようにちぎったり捏ねたりするだけでなく、両手で引き伸ばして遊ぶこともできるゲル状の玩具が開発され、国内では「スライム(登録商標)」の名前で周知となっている。また、このようなゲル状玩具を手作りで作製する科学実験も、理科の授業やイベント等で広く行われており、子供達からの人気は非常に高い。
【０００３】
ところで、上記の科学実験においては、ポリビニルアルコール(洗濯のり)とホウ砂と水を用いてゲル状玩具を作製するのが一般的であるが(非特許文献１参照)、ポリビニルアルコールは人工的に調製された石油由来の高分子材料であるため、石油資源の枯渇が問題視されている現代において資源の無駄使いとなる。
【０００４】
一方、従来においては、ポリビニルアルコールの代わりにグアガムを用いたゲル状玩具も公知となっているが(特許文献１参照)、これらの多くは添加剤に緩衝溶液(リン酸二水素カリウム)や強アルカリ(水酸化ナトリウム)、保水剤や可溶剤としてのグリセリン等の糖アルコールを使用しているため、材料コストが高価になり易い。
【０００５】
しかも、上記添加剤として使用されている水酸化ナトリウムは毒物及び劇物取締法で指定されている劇物であり、またグリセリンも、消防法で危険物に指定されている引火性液体であるため、単体での販売には相当の注意が必要となる。
【０００６】
ちなみに、上記「グアガム(guar gum)」は、グア豆の種を乾燥させ粉状に挽いた天然素材であり、飲料や食品、化粧品、歯磨きの増粘剤などに利用されている。また、グアガムの主成分であるガラクトマンナンは、水に溶かしたホウ砂やカルシウムと反応させることによってゲル化することも知られている。
【０００７】
しかし、グアガムとホウ砂と水を混ぜただけでは、剛性が高くなり過ぎてゲル状物質が流動性を失い固体状になってしまうため、伸ばして遊ぶゲル状玩具として使用することはできない。それゆえ、ゲル化時の剛性の高まりを抑えてゲル状物質に適度な流動性を付与するために、上記緩衝溶液が添加される。
【０００８】
また、従来においては、グリセリン以外のマンノースやスクロース等を添加する技術も公知となっているが(特許文献２参照)、公知文献中には、これらを保水剤や可溶剤として使用できる旨の説明があるだけで、適度な流動性を有するゲル状物質を作製するために、特定の還元性単糖・少糖を積極的に使用する旨の示唆は見受けられない。
【先行技術文献】
【特許文献】
【０００９】
【特許文献１】特開平７−１２４３４３号
【特許文献２】特開昭６１−２６３６３２号
【非特許文献】
【００１０】
【非特許文献１】E.Z.Casassa,A.M.Sarquis,C.H.Van Dyke,”The Gelation of Polyvinyl Alcohol with Borax ANovel Class Participation Experiment Invoving the Preparation and Propeties of a Slime”,Journal of Chemical Education,Vol.63,pp.57〜61(1986)
【発明の概要】
【発明が解決しようとする課題】
【００１１】
本発明は、上記の問題に鑑みて為されたものであり、その目的とするところは、子供でも簡単に行える作業で、適度な流動性と弾性に併せて衝撃に対する形状保持性を有するゲル状物質を調製することができ、また資源の無駄遣いを抑えることも可能で、しかも、安全かつ安価なゲル状玩具製作キットを提供することにある。
【課題を解決するための手段】
【００１２】
本発明者が上記課題を解決するために採用した手段は次のとおりである。
【００１３】
即ち、本発明は、個別に包装されたグアガム１、ホウ砂２および還元性単糖・少糖３とを含んでゲル状玩具製作キットを構成した点に特徴がある。なお、還元性単糖・少糖３には反応性の良いフルクトース(果糖)を使用することが好ましい。
【００１４】
また、上記還元性単糖・少糖３については、粉末状のものを袋等に収容できるだけでなく、還元性単糖・少糖３の少なくとも一種を含むハチミツ、又は異性化糖(特に果糖を十分に含む果糖ブドウ糖液糖、高果糖液糖を主成分とするもの)や高果糖コーンシロップなど(以下、”シロップ”)、又はフルクトース、グルコース、マンノースなどを水に溶かした糖水溶液(以下、”糖水溶液”)の状態で容器に収容することも可能である。
【００１５】
一方、上記製作キットには、ゲル状玩具を色付けできるように、包装された単色または複数色の食紅等の食品添加用色素類を主とする水溶性着色剤４、および光反射性を有するグリッター類を含めることもできる。また、ゲル状玩具の製作を容易に行えるように、上記ハチミツやシロップ、糖水溶液を所定量注入するための小型注射器Ｃ1と、ホウ砂２の水溶液を所定量注入するための大型注射器Ｃ2を製作キットに付けることもできる。
【発明の効果】
【００１６】
(１)ゲル状物質の物性に関する効果
本発明では、ゲル状玩具の製作キットを、個別に包装したグアガム、ホウ砂および還元性単糖・少糖のセットから構成したことにより、ゲル状玩具を作製する際、還元性単糖・少糖を添加することで適度な流動性及び弾性を有するゲル状玩具を作製することが可能となった。その化学的メカニズムを、以下に詳細に説明する。
【００１７】
[グアガムとホウ砂の反応]
まず、ホウ砂(Na2[B4O5(OH)4]・8H2O)は、２個のNa+と四ホウ酸陰イオンと８個の配位水H2Oから成っている。そして、[化１]に示す四ホウ酸陰イオンは、３配位のホウ素原子２個と４配位のホウ素原子２個(ボラートイオン)を含むビシクロナン構造をとっていて、低濃度水溶液中ではホウ酸２分子、ボラートアニオン[B(OH)4]-２個に解離する。またホウ酸は、平面三配位構造をとり、ボラートアニオンは四配位正四面体構造をとっている。
【化１】
2014000299.tif 000003
【００１８】
一方、グアガムは、[化２]に示すようにβ-マンノースの１位炭素上に、隣りのβ-マンノース単位の４位の-OH基が次々と結合した直鎖状高分子多糖類で、マンナン鎖のβ-マンノース単位の一つおきの６位の酸素原子上に１分子のα-ガラクトシル基の側鎖をもつガラクトマンナンに属する。
【化２】
2014000299.tif 000004
【００１９】
そして、水にグアガムを溶解させたグアガム水溶液中にホウ砂を加えると、[化３]中の点線で囲んだボラートアニオンのOH基対とガラクトースの３位と４位のOH基対が水素結合することによって、二次元及び三次元の架橋が進みゲル化する。なお、ホウ酸は、ホウ酸内のOH基と、β-マンノース単位または側鎖のα-ガラクトシル基のOH基と水素結合することで、直線状にグアガム分子を束ねる役割をする(フィブリル生成)。
【化３】
2014000299.tif 000005
【００２０】
ところが、ゲル化において、ボラートアニオンの数が多いと、多くの箇所で、ボラートアニオンのOH基対と単位単糖(特にガラクトースの３位と４位の)OH基との結合、或いは交換反応が起こるため、架橋反応が促進されるものの、架橋密度が大きく(架橋点の数が多く)なり過ぎてゲル状物質の流動性が失われ易い。
【００２１】
また、グアガム分子のOH基群が密集した状態で結合されると、ボラートアニオンやホウ酸を介して結合されたグアガム分子同士の動的な自由度が失われて弾性と流動性が損なわれ易い。そのため、グアガムとホウ酸と水を混ぜただけでは、ゲル状玩具として使用できない剛性の高いゲル状物質しか調製されない。
【００２２】
[ホウ酸と還元性単糖・少糖との反応]
まず、ホウ酸は、[化４](a)に示すように、水溶液中においてルイス酸として働き、H2Oから水酸化物イオンOH−を受け取って、４配位となるボラートアニオンを形成し弱酸性を示す。また、ホウ酸水溶液にジオールを添加すると、[化４](b)に示すように、ホウ酸とジオールの脱水縮合反応によって化合物が形成され、強酸性を示すことが知られている(参考文献「コットン・ウィルキンソン・ガウス基礎無機化学」p.316-317)。
【化４】
2014000299.tif 000006
【００２３】
一方、単糖類の一種であるD-フルクトース(果糖)は、27℃の水溶液中でβ-フルクトピラノース75%、β-フルクトフラノース21%、α-フルクトフラノース4%が平衡状態で共存しており、[化５]で示すβ-フルクトピラノースの点線箇所は、２個のOH基がシス型配置となっている。そのため、この２箇所は上記で記したホウ酸との反応が可能であり、ホウ酸溶液中に果糖を添加した場合、pHが低くなると考えられる。
【化５】
2014000299.tif 000007
【００２４】
また、単糖類の一種であるD-グルコース(ブドウ糖)は、水溶液中でα-グルコース36%、β-グルコース64%が平衡状態で共存しているが、[化６]で示すように、α-グルコースは片方の2個のOH基がシス型配置である(β-グルコースは全てのOH基がトランス型配置)。そのため、ホウ酸溶液中にブドウ糖を添加した場合、α-グルコースのシス型配置のOH基と反応してpHが低くなると考えられる。
【化６】
2014000299.tif 000008
【００２５】
また更に、単糖類の一種であるD-マンノースは、水溶液中でα-マンノース67%、β-マンノース33%が平衡状態で共存している。そして、[化７]に示すように、β-マンノースは片方の2個のOH基がシス型配置になっているため(α-マンノースの点線で囲まれた両方のOH基はトランス型配置)、ホウ酸溶液中にマンノースを添加した場合、β-マンノースのシス型配置のOH基との反応によりpHが低くなると考えられる。
【化７】
2014000299.tif 000009
【００２６】
他方、少糖類の一種であるスクロース(ショ糖)は、[化８]で示すようにピラノース構造とフラノース構造からなる二糖類であるが、非還元性であるため、ホウ酸溶液中にスクロースを添加しても上記フラクトースやグルコース、マンノースのようなホウ酸との反応は起こらない。
【化８】
2014000299.tif 000010
【００２７】
[還元性単糖・少糖を添加した場合の物性効果]
上記で示したように、ホウ砂-グアガム系に還元性単糖・小糖を添加すると、ホウ酸と還元糖が反応してH+が生じる。そして、この反応によって生じたH+がボラートアニオンを中和してボラートアニオンの量を減らすことで、ゲル調製時の架橋反応が抑制される。そのため、ゲル状物質の架橋密度および剛性が抑えられて、流動性および弾性が向上する。
【００２８】
また、還元性単糖・少糖の添加は、これらが架橋構造中において多糖類の構成単位である単糖に匹敵する立体要請をもつスペーサーとして有効な「かすがい」の役割を果たすことで、ボラートアニオンの局部集中を阻害し、ゲル状物質の弾性と流動性の両面を向上させる効果も発揮する。これは、単純なポリオール特に糖アルコール類(グリセリン等)の添加では得られない作用・効果であり、特にフルクトースは複数のボラートアニオンを介して糖類の間に有効なクロスリンクを行うことが期待される本発明の大きな特徴の一つである。
【００２９】
[総  括]
以上のように、ボラートアニオンとグアーガム分子の架橋反応は、ゲル状物質の剛性を高めるが、流動性の低下を招く、特にボラートアニオンの局部集中が起こると流動性には不利である。そのため、剛性と流動性の相反する性質を持たせるために、ボラートアニオンのミクロ環境のコントロールが不可欠となる。
【００３０】
そこで、本発明では、ホウ砂−グアーガム系に還元性単糖を添加することにより、還元糖の利用であるホウ酸およびボラートアニオンの量と分布のコントロールを試みた。この方法は、多糖類の立体化学的要請およびミクロ環境での架橋剤の挙動を考慮したものであり、ホウ酸及び関連の化学種の局部濃度、架橋種のスペーサー的観点など分子論的配慮を行って良好な結果を導いたものである。
【００３１】
(２)その他の効果
また本発明では、高価で危険性の高いグリセリンでなく安価で安全な単糖・少糖を添加剤として使用したことにより、製作キットのコストの低減を図れるだけでなく、各材料を単体で包装した製作キットを、販売者や使用者が容易に取り扱えるようになる。また、天然素材であるグアガムを用いることで環境への負担も軽減できる。また更に、本発明の製作キットは、簡単な作業で調製を行えるため、子供の実験教材に最適である
【００３２】
したがって、本発明により、伸したり捏ねたりして遊ぶ玩具として丁度良い物性を呈するゲル状物質を調製することができ、しかも、科学実験の教材として求められる簡易性や安全性の条件もクリアしたゲル状玩具製作キットを提供できることから、本発明の実用的利用価値は頗る高い。
【図面の簡単な説明】
【００３３】
【図１】本発明の実施例１におけるゲル状玩具製作キットを表す全体斜視図である。
【発明を実施するための形態】
【００３４】
『実施例１』
本発明の実施例１について、図１に基いて説明する。なお同図において、符号１で指示するものは、グアガムであり、また符号２で指示するものは、ホウ砂である。また、符号３で指示するものは、還元性単糖・少糖であり、符号４で指示するものは、水溶性着色剤である。
【００３５】
［ゲル状玩具製作キットの構成］
この実施例１では、グアガム１とホウ砂２の粉末を個別に袋に入れて包装したもの、および還元性単糖・少糖３を含むシロップを容器に入れて密封したものを板紙に貼り付け固定してゲル玩具製作キットを構成している(図１参照)。なお、市販の”ガムシロップ”を使用する場合には、フルクトース(果糖)を十分に含む異性化糖を主成分とするものを選別使用する。
【００３６】
また、シロップについては、市販の飲料用シロップ(フルクトース(果糖)を十分に含む異性化糖を主成分とする)も使用できる。また他にも、フルクトースとグルコースが成分上多く含まれたハチミツや、還元性単糖・少糖３であるフルクトースやグルコース、マンノースなどを単体若しくは混合して水に溶かした糖水溶液などをシロップの代わりに使用することもできる。
【００３７】
そして、還元性単糖・少糖３には、添加した際にグアガム１やホウ砂２との反応性が良く、他の糖類よりも少ない量で調製したゲル状物質の流動性および弾性を向上できるフルクトースを使用することが好ましい。これは、β-フルクトピラノース中にシス型配置のOH基が多く存在するためだと考えられる。
【００３８】
また、上記グアガム１は天然高分子であるため、不純物の量によって様々なグレードが存在する。本実施例では、グレードの高い(純度の高い)グアガム１を使用しているが、グレードの劣るグアガム１を使用する場合には同じ使用量でも調製反応が進まないケースが想定されるため、グレードに応じて使用量を調整する必要がある。
【００３９】
また本実施例では、上記製作キットに、調製したゲル状物質を色付けできるように個別に包装された単色(緑色)の水溶性着色剤４(絵の具)を付けている。なお、コスト面で問題がなければ、調製作業を行う子供達が好きな色を選択して、或いは任意の色同士を混ぜて着色できるように複数色の水溶性着色剤４を付けることもできる。
【００４０】
また更に、本実施例においては、上記製作キットに、ハチミツやシロップを所定量注入するための小型注射器Ｃ1と、ホウ砂２の水溶液を所定量注入するための大型注射器Ｃ2とを付けている。これにより、子供達がゲル状物質の調製作業を材料の量を間違えずに、そして衣服等を汚さずに行うことができる。
【００４１】
そして更に、本実施例では、グアガム１やホウ砂２の粉末の量を計って入れるための計量スプーンＳと、容器の中に複数の材料を入れた後にこれらをかき混ぜるためのかき混ぜ具Ｈも製作キットに含めている。また、かき混ぜ具Ｈには、調製時にゲル状物質を練るように混ぜることができるプラスチック製のヘラを使用している。
【００４２】
［ゲル状玩具製作キットの使用例(Ａ)］
次に、上記ゲル状玩具製作キットの使用例(Ａ)について説明する。まず、作業に入る前の事前準備として、ゲル状玩具製作キットに含まれていない紙コップや計量カップ、重量計を用意する。また、子供が安全に熱湯を入れることができるように電気ポットも用意しておく。
【００４３】
なお、上記紙コップについては、ゲル化操作中に熱湯を使うため、耐熱性を持つガラス製コップやプラスチック製コップ、金属製コップ等も問題なく使用できるが、調製後のゲル状玩具の一時保存もしくは廃棄するために、使い捨てカップを使用するのが好ましい。また、グアガム１やホウ砂２を、全て入れて使用するように予め分量を計算・秤量して包装している場合には、計量スプーンや重量計を実験道具から省略することもできる。
【００４４】
そして、上記準備が整った後、ゲル状玩具の作製に入る。まず調製作業の第一ステップとして、重量計で重さを確認しながら計量カップにホウ砂２を5g入れた後、この計量カップに電子ポットの熱湯を50ml注いでホウ砂を溶かす。これにより計量カップ内に所定濃度のホウ砂水溶液を作製できる。
【００４５】
一方、紙コップには、計量スプーンＳでグアガム１を0.5g入れた後、小型注射器Ｃ1でガムシロップを1ml加えて全てのグアガム１が糖液に濡れるまでかき混ぜ具Ｈでよくかき混ぜる。その後、グアガム１とシロップを入れた紙コップに熱湯50mlを加え、グアガム１とガムシロップが溶けて均一になるまでよくかき混ぜる。
【００４６】
そして、上記グアガム水溶液に更に水溶性着色剤４を少量加え(この際、グリッター類の添加も可能)、水溶性着色剤４が充分分散するまでグアガム水溶液をかき混ぜる(グリッター類は溶けない)。なお、上記水溶性着色剤４やグリッター類の添加については、ゲル状玩具の作製において必須の工程ではないため、特に添加しなかった場合でもゲル化反応において物性的な問題は生じることはない。
【００４７】
その後、調製作業の第二ステップとして、上記グアガム水溶液が入った紙コップ内に、大型注射器Ｃ2を用いて計量カップ内のホウ砂水溶液を5ml注入する。そして、紙コップ内をよくかき混ぜながら、ゲル状物質の調製が進むのを待ち、触っても手に付かなったところでゲル状物質を紙コップから取り出して、ゲル状玩具の作製が完了する。
【００４８】
［ゲル状玩具製作キットの使用例(Ｂ)］
次に、ゲル状玩具製作キットの使用例(Ｂ)について説明する。この使用例(Ｂ)では、上記使用例(Ａ)の紙コップの代わりにミキサー(フードプロセッサ)を使用し、調製作業の第一ステップにおいて、計量カップで計った100mlの熱湯及びグアガム5gをミキサーに入れてかき混ぜる。
【００４９】
その後、シロップ10ml及び400mlの熱湯を少しずつ加え、水溶液が均一になるまでかき混ぜる。これにより、一度に大量のグアガム水溶液を簡単に作製することができる。そして、そのグアガム水溶液をディスポカップに50ml移し、これに水溶性着色剤４を少量加えてかき混ぜ、最後にホウ砂水溶液を注入(5ml)してゲル状物質を調製する。
【００５０】
『効果の実証試験』
次に、本発明の効果を実証するために行った試験について説明する。まず、この実証試験では、ゲル状物質の材料として、グアガム(三晶(株)製品名:NEOVISCO-G)、ホウ砂(昭和製薬(株))、ホウ酸（ナカライテスク(株)特級試薬)、グルコース・フルクトース・マンノース・スクロース（和光純薬工業(株)特級試薬)を使用した。
【００５１】
また、グアガム水溶液は、グアガム5gと熱湯500mlをミキサーでかき混ぜて作製し、ホウ砂水溶液はホウ砂5gと熱湯50mlを、ホウ酸水溶液はホウ酸5gと熱湯50mlを混ぜて作製した。また各糖類の水溶液は、糖類(グルコース・フルクトース・マンノース・スクロース)16gと熱湯20mlを混ぜて作製した。
【００５２】
「試験例１」(糖水溶液なし)
この試験例１では、グアガム水溶液58gとホウ砂水溶液5mlとを混ぜてゲル状物質を調製した。その結果、剛性の高いゲル状になったが流動性は見られなかった。なお、水5mlとホウ砂水溶液5mlを混ぜた水溶液はアルカリ性(pH10)であった。
【００５３】
「試験例２」(糖水溶液なし、ホウ酸水溶液)
この試験例２では、グアガム水溶液58gとホウ酸水溶液5mlとを混ぜてゲル状物質を調製した。その結果、流動性のあるゲル状物質を作製できた。
【００５４】
「試験例３」(フルクトース水溶液)
この試験例３では、グアガム水溶液58gとフルクトース水溶液2ml、ホウ砂水溶液5mlを混ぜてゲル状物質を調製した。その結果、弾性および流動性を有するゲル状物質を作製できた。なお、フルクトース水溶液2mlとホウ砂水溶液5mlを混ぜた水溶液は弱酸性(pH6)であった。
【００５５】
また、この試験結果から、還元性単糖・少糖の水溶液を添加しなかった試験例１及び２と比較して、フルクトース水溶液が、調製されたゲル状物質に良好な弾性と流動性の両面を発揮させる添加剤として機能することが確認できた。
【００５６】
「試験例４」(フルクトース水溶液、少量添加)
この試験例４では、グアガム水溶液58gとフルクトース水溶液1ml、ホウ砂水溶液5mlを混ぜてゲル状物質を調製した。その結果、剛性の高いゲル状になったが流動性はみられなかった。なお、フルクトース水溶液1mlとホウ砂水溶液5mlを混ぜた水溶液は弱アルカリ性(pH8)であった。
【００５７】
「試験例５」(フルクトース水溶液、多量添加)
この試験例５では、グアガム水溶液58gとフルクトース水溶液5ml、ホウ砂水溶液5mlを混ぜてゲル状物質を調製した。その結果、液体状で固まらなかった。なお、フルクトース水溶液5mlとホウ砂水溶液5mlを混ぜた水溶液は酸性(pH4)であった。
【００５８】
「試験例６」(グルコース水溶液)
この試験例６では、グアガム水溶液58gとグルコース水溶液5ml、ホウ砂水溶液5mlを混ぜてゲル状物質を調製した。その結果、弾性および流動性を有するゲル状物質を作製できた。なお、グルコース水溶液5mlとホウ砂水溶液5mlを混ぜた水溶液は弱酸性(pH6)であった。
【００５９】
また、この試験結果から、フルクトースとグルコースをそれぞれホウ酸水溶液へ添加した場合、共にpHが低くなることが確認されたが、フルクトースとグルコースの添加量の比較において同じpHにするために、フルクトースに比べグルコースは約２倍の量必要であった。
【００６０】
「試験例７」(マンノース水溶液)
この試験例７では、グアガム水溶液58gとマンノース水溶液5ml、ホウ砂水溶液5mlを混ぜてゲル状物質を調製した。その結果、弾性および流動性を有するゲル状物質を作製できた。なお、マンノース水溶液5mlとホウ砂水溶液5mlを混ぜた水溶液は弱酸性(pH6）であった。
【００６１】
また、この試験結果から、マンノースをホウ酸水溶液へ添加した場合、pHが低くなることが確認されたが、グルコースの結果との比較において同じpHにするために、グルコースと同量のマンノースが必要であった。
【００６２】
「試験例８」(スクロース水溶液)
この試験例８では、グアーガム水溶液58gとスクロース水溶液5ml、ホウ砂水溶液5mlを混ぜて使用した。その結果、剛性の高いゲル状になったが流動性はみられなかった。なお、スクロース水溶液5mlとホウ砂水溶液5mlを混ぜた水溶液はアルカリ性(pH10)であった。
【００６３】
また、この試験結果から、還元性を有しない糖類(スクロース)をホウ酸水溶液に添加しても、pHの変化が見られいこと、及びホウ砂-グアガム系にスクロースを添加しても、ゲル状物質の物性に変化が見られないことが確認できた。
【００６４】
本発明は、概ね上記のように構成されるが、記載した実施例にのみ限定されるものではなく、「特許請求の範囲」の記載内において種々の変更が可能であって、例えば、還元性単糖３には、フルクトースやグルコース、マンノース以外にも、他のアルドヘキソース、ケトヘキソース、ケトペントースなども採用できる。
【００６５】
また、還元性単糖・少糖３に関しては、液体の状態で包装しなくても粉末の状態で袋に入れて包装することもできる。また、グアガム１やホウ砂２に関しても、粉末状でなく水等の液体に溶かした状態で小型容器に収容して包装することができ、何れのものも本発明の技術的範囲に属する。
【産業上の利用可能性】
【００６６】
近年、小中学生の子供たちの理科離れを防止するために、科学の面白さを自ら体験できる実験教室を実施する学校が増えており、実験教室に使用する手軽な教材の需要が高まっている。そのような中で、本発明のゲル状玩具製作キットは、子供たちが簡単かつ安全に身近な材料で実験を行える有用な技術であるため、その産業上の利用価値は非常に高い。
【符号の説明】
【００６７】
１  グアガム
２  ホウ砂
３  還元性単糖・少糖
４  水溶性着色剤
Ｃ1  小型注射器
Ｃ2  大型注射器
Ｓ  計量スプーン
Ｈ  かき混ぜ棒
【図１】
2014000299.tif 000011